(57)【要約】【課題】  排紙トレイに上方から覆われる部品に対して行う作業を簡素化できる排紙装置を提供する。【解決手段】  本発明に係る排紙装置１は、記録紙を載置する載置面５１を有し且つ部品３８を上方から覆う排紙トレイ５と、該排紙トレイ５との間で排紙空間Ｓ１を形成すべく、該排紙トレイ５の上方に離間して配置される構成体７と、を備え、前記排紙トレイ５は、前記部品３８の上方に配置されるトレイ開口部５２を有するトレイ本体５３と、前記トレイ開口部５２を開閉するトレイカバー体５４と、を備える。【選択図】  図３
2014071293.tif 000002
【特許請求の範囲】
【請求項１】
記録紙を載置する載置面を有し且つ部品を上方から覆う排紙トレイと、
該排紙トレイとの間で排紙空間を形成すべく、該排紙トレイの上方に離間して配置される構成体と、を備え、
前記排紙トレイは、前記部品の上方に配置されるトレイ開口部を有するトレイ本体と、前記トレイ開口部を開閉するトレイカバー体と、を備える排紙装置。
【請求項２】
前記トレイ本体が前記排紙空間から抜け出すことを防止すべく、前記トレイ本体が移動することを規制する規制部を備える請求項１に記載の排紙装置。
【請求項３】
前記トレイ開口部は、前記トレイ本体の側端部に配置される請求項１又は２に記載の排紙装置。
【請求項４】
前記部品を内部に収容し且つ前記トレイ本体を固定するハウジングと、
前記ハウジングの側方に取り付けられるサイドカバー体を備え、
前記ハウジングは、前記部品の側方に配置され且つ前記サイドカバー体に開閉される側開口部を備え、
前記トレイ開口部及び前記側開口部は、連通するように配置され、
前記サイドカバー体は、前記側開口部を閉じる際に、前記トレイカバー体が前記トレイ開口部を閉じる状態で保持すべく、前記トレイカバー体を押さえる保持部を備える請求項３に記載の排紙装置。
【請求項５】
前記トレイカバー体は、前記トレイ開口部を覆うカバー部と、該カバー部から突出し、該カバー部が前記トレイ開口部を覆う際に前記部品の上部を押さえる突出部と、を備える請求項１〜４の何れか１項に記載の排紙装置。
【請求項６】
前記部品を備え、
該部品は、ファン及びフィルタの少なくとも何れか一方である請求項１〜５の何れか１に記載の排紙装置。
【請求項７】
前記部品を備え、
該部品は、ファンであり、
前記規制部は、該ファンにより生じる気流の経路を構成するダクトである請求項２に記載の排紙装置。
【発明の詳細な説明】
【技術分野】
【０００１】
本発明は、記録紙を載置する排紙トレイを備える排紙装置に関する。
【背景技術】
【０００２】
従来、記録紙を載置する排紙トレイと、排紙トレイの上方に離間して配置される構成体（例えば、画像読取部）とを備える排紙装置が知られている。斯かる排紙装置は、排紙トレイと画像読取部との間で排紙空間を形成している。また、斯かる排紙トレイは、部品（例えば、ファン）を上方から覆うように配置されている（例えば、特許文献１）。
【０００３】
ところで、斯かる排紙装置において、作業者は、部品に対して作業する（例えば、部品を交換する）際には、排紙トレイを取り外す前に、排紙トレイの上方側の全て（例えば、画像読取部）を取り外さなければならない。したがって、部品に対して行う作業が非常に煩雑である。
【先行技術文献】
【特許文献】
【０００４】
【特許文献１】特開２００７−３１６４３８号公報
【発明の概要】
【発明が解決しようとする課題】
【０００５】
よって、本発明は、斯かる事情に鑑み、排紙トレイに上方から覆われる部品に対して行う作業を簡素化できる排紙装置を提供することを課題とする。
【課題を解決するための手段】
【０００６】
本発明に係る排紙装置は、記録紙を載置する載置面を有し且つ部品を上方から覆う排紙トレイと、該排紙トレイとの間で排紙空間を形成すべく、該排紙トレイの上方に離間して配置される構成体と、を備え、前記排紙トレイは、前記部品の上方に配置されるトレイ開口部を有するトレイ本体と、前記トレイ開口部を開閉するトレイカバー体と、を備える。
【０００７】
本発明に係る排紙装置によれば、排紙空間は、記録紙を載置する載置面を有する排紙トレイと、排紙トレイの上方に離間して配置される構成体との間で形成されている。部品を上方から覆う排紙トレイは、部品の上方に配置されるトレイ開口部を有するトレイ本体と、トレイ開口部を開閉するトレイカバー体とを備えている。これにより、トレイ開口部が開放されることで、開放されたトレイ開口部から部品に対して作業することができる。したがって、部品に対する作業を簡素化することができる。
【０００８】
本発明に係る排紙装置は、前記トレイ本体が前記排紙空間から抜け出すことを防止すべく、前記トレイ本体が移動することを規制する規制部を備えてもよい。
【０００９】
斯かる構成によれば、規制部は、トレイ本体が移動することを規制する。これにより、トレイ本体が排紙空間から抜け出すことを防止できる。
【００１０】
本発明に係る排紙装置においては、前記トレイ開口部は、前記トレイ本体の側端部に配置される、という構成でもよい。
【００１１】
斯かる構成によれば、トレイ開口部がトレイ本体の側端部に配置されている。これにより、部品に対する作業をさらに簡素化することができる。
【００１２】
本発明に係る排紙装置は、前記部品を内部に収容し且つ前記トレイ本体を固定するハウジングと、前記ハウジングの側方に取り付けられるサイドカバー体を備え、前記ハウジングは、前記部品の側方に配置され且つ前記サイドカバー体に開閉される側開口部を備え、前記トレイ開口部及び前記側開口部は、連通するように配置され、前記サイドカバー体は、前記側開口部を閉じる際に、前記トレイカバー体が前記トレイ開口部を閉じる状態で保持すべく、前記トレイカバー体を押さえる保持部を備えてもよい。
【００１３】
斯かる構成によれば、トレイ本体を固定するハウジングは、内部に収容する部品の側方に配置される側開口部を備えている。サイドカバー体は、ハウジングの側方に取り付けられることで、側開口部を開閉する。そして、トレイ開口部及び側開口部が連通するように配置されているため、各開口部が開放されることで、部品に対する作業をさらに簡素化することができる。また、サイドカバー体が側開口部を閉じる際に、保持部がトレイカバー体を押さえるため、トレイカバー体は、トレイ開口部を閉じる状態で保持される。
【００１４】
本発明に係る排紙装置においては、前記トレイカバー体は、前記トレイ開口部を覆うカバー部と、該カバー部から突出し、該カバー部が前記トレイ開口部を覆う際に前記部品の上部を押さえる突出部と、を備える、という構成でもよい。
【００１５】
斯かる構成によれば、トレイカバー体は、トレイ開口部を覆うカバー部と、カバー部から突出する突出部とを備えている。突出部は、カバー部がトレイ開口部を覆う際に、部品の上部を押さえる。これにより、部品を安定して支持することができる。
【００１６】
本発明に係る排紙装置は、前記部品を備え、該部品は、ファン及びフィルタの少なくとも何れか一方であってもよい。
【００１７】
本発明に係る排紙装置は、前記部品を備え、該部品は、ファンであり、前記規制部は、該ファンにより生じる気流の経路を構成するダクトであってもよい。
【００１８】
以上の如く、本発明に係る排紙装置は、排紙トレイに上方から覆われる部品に対して行う作業を簡素化できるという優れた効果を奏する。
【図面の簡単な説明】
【００１９】
【図１】図１は、本発明の一実施形態に係る排紙装置の全体斜視図を示す。
【図２】図２は、同実施形態に係る排紙装置における図１の正面視概略縦断面図を示す。
【図３】図３は、同実施形態に係る排紙装置における図２のIII領域拡大図を示す。
【図４】図４は、同実施形態に係る排紙装置における図３のIV−IV線断面図を示す。
【図５】図５は、本発明の他の実施形態に係る排紙装置の要部縦断面図を示す。
【発明を実施するための形態】
【００２０】
以下、本発明に係る排紙装置における一実施形態について、図１〜図４を参酌して説明する。
【００２１】
図１及び図２に示すように、本実施形態に係る排紙装置１は、記録紙を搬送する搬送部２と、記録紙に画像を形成する画像形成部３とを備えている。排紙装置１は、搬送部２及び画像形成部３等を内部に収容するハウジング４と、記録紙を載置する載置面５１を有し且つハウジング４に取り付けられる排紙トレイ５と、ハウジング４の側方に取り付けられるサイドカバー体６とを備えている。
【００２２】
排紙装置１は、排紙トレイ５との間で排紙空間Ｓ１を形成すべく、排紙トレイ５の上方に離間して配置される構成体７、具体的には、原稿を読み取る原稿読取部７を備える。即ち、本実施形態に係る排紙装置１は、原稿読取部７で読み取った原稿の画像データに基づいて、記録紙に画像を形成する画像形成装置である。排紙装置１は、排紙トレイ５に載置された記録紙が移動することを規制する記録紙規制体８と、ユーザーに操作される操作部９とを備えている。なお、図１において、操作部９側が正面であり、図２は、排紙装置１を縦方向で切断して正面側から見た断面図である。
【００２３】
搬送部２は、記録紙を収容し且つハウジング４の下部に挿入される記録紙カセット２１と、積層された記録紙のうち、圧接された最上の記録紙を搬送する給紙ローラ２２とを備えている。搬送部２は、端部を上方に向けて付勢することで、給紙ローラ２２に対して記録紙を押圧させる押圧板２３を備えている。搬送部２は、排紙トレイ５に向けて搬送すべく、画像形成部３で画像を形成された記録紙を排紙方向Ｄ１に沿って搬送する排紙ローラ２４を備えている。
【００２４】
画像形成部３は、表面に感光体を形成する円筒状の感光体ドラム３１と、感光体ドラム３１の表面を一様に帯電させる帯電器３２とを備えている。画像形成部３は、原稿読取部７で読み取った画像データ等に基づいて、感光体ドラム３１の表面を露光させる露光ユニット３３を備えている。
【００２５】
画像形成部３は、感光体ドラム３１の表面にトナーを付着させる現像部３４と、感光体ドラム３１の表面に付着されるトナーを記録紙に転写する転写器３５と、トナーを記録紙に定着させる定着部３６とを備えている。画像形成部３は、ハウジング４の内部の空気を外部に排出する排気装置３７を備えている。
【００２６】
排気装置３７は、図２〜図４に示すように、帯電器３２の周囲の空気をハウジング４の外部に排出するためのファン（本発明に係る「部品」）３８と、ファン３８を支持するためのファン支持部３９とを備えている。排気装置３７は、ファン３８により生じる気流Ｆ１の経路を構成するダクト３１０と、ファン３８の下流に配置され、サイドカバー体６に取り付けられるフィルタ３１１とを備えている。
【００２７】
ファン３８は、角筒状に形成されるファン枠部３１２と、ファン枠部３１２の内部に配置される翼部３１３とを備えている。ファン枠部３１２は、平板状に形成され、翼部３１３は、ファン枠部３１２と直交する方向周りに回転する。これにより、ファン３８は、平板状のファン枠部３１２と直交する方向、即ち、翼部３１３の軸方向に沿った気流Ｆ１を生じさせている。
【００２８】
ファン支持部３９は、ファン３８の形状に対応するように、ファン枠部３１２の側部を支持する一対の側壁部３１４，３１５と、ファン枠部３１２の底部を支持する底壁部３１６とを備えている。ファン支持部３９は、ファン３８が翼部３１３の軸方向で移動することを防止すべく、ファン３８の一方側を係止する固定爪３１７と、ファン３８の他方側を係止する弾性爪３１８とを備えている。
【００２９】
ダクト３１０は、気流Ｆ１の下流側に向けて拡径するように形成されている。ダクト３１０は、上部にダクト傾斜部３１９を備えている。ダクト傾斜部３１９は、気流Ｆ１の下流側に向けて、即ち、排紙方向Ｄ１の下流側に向けて、上昇するように傾いている。
【００３０】
ハウジング４は、原稿読取部７を支持すべく上方に向けて伸びる読取支持部４１を備えている。ハウジング４は、ファン３８及びダクト３１０の上方に配置される上開口部４２と、ファン３８の側方に配置される側開口部４３とを備えている。上開口部４２と側開口部４３とは、連通するように配置されている。
【００３１】
排紙トレイ５がファン３８を上方から覆うようにハウジング４に取り付けられることで、上開口部４２は、排紙トレイ５に閉塞される。サイドカバー体６がファン３８を側方から覆うようにハウジング４に取り付けられることで、側開口部４３は、サイドカバー体６に閉塞される。
【００３２】
排紙トレイ５は、ファン３８の上方に配置されるトレイ開口部５２を有するトレイ本体５３と、トレイ開口部５２を開閉すべく、トレイ本体５３に着脱自在なトレイカバー体５４とを備えている。トレイ本体５３の上面とトレイカバー体５４の上面とは、面一に配置されることで、記録紙を載置する載置面５１を構成している。図１は、トレイ本体５３とトレイカバー体５４との境界が明確となるように、該境界を太線で示している。
【００３３】
トレイ本体５３は、排紙方向Ｄ１の下流側に向けて上昇するように傾いているトレイ傾斜部５５を備えている。該トレイ傾斜部５５は、ダクト傾斜部３１９に沿って配置されている。トレイ本体５３は、ハウジング４の上開口部４２に取り付けられている。
【００３４】
トレイ本体５３は、ハウジング４に着脱自在に取り付けられている一方、ダクト３１０により、移動することを規制されている。具体的には、トレイ本体５３のトレイ傾斜部５５がダクト３１０のダクト傾斜部３１９に当たることで、トレイ本体５３が排紙空間Ｓ１から抜け出すことを防止している。即ち、ダクト３１０は、トレイ本体５３が移動することを規制する規制部３１０としても機能している。
【００３５】
トレイ開口部５２は、トレイ本体５３の側端部に配置されている。具体的には、トレイ開口部５２は、トレイ本体５３における、排紙方向Ｄ１の下流側の端部に配置されている。トレイ開口部５２は、ファン３８を上方から露出するように、ファン３８の真上に配置されている。トレイ開口部５２は、ハウジング４の側開口部４３と連通するように配置されている。
【００３６】
トレイカバー体５４は、トレイ開口部５２を覆うカバー部５６と、カバー部５６から突出する突出部５７とを備えている。トレイカバー体５４は、サイドカバー６に押さえられるカバー接続部５８と、フィルタ３１１の上部を支持するフィルタ上部支持部５９と、トレイ本体５３に外側から押さえられる本体接続部５１０とを備えている。
【００３７】
カバー部５６は、記録紙規制体８の先端部に対応する凹部５１１を備えている。突出部５７は、平板状に形成されていると共に、ファン３８に沿って配置されている。突出部５７は、カバー部５６がトレイ開口部５２を覆う際に、ファン３８の上部を押さえるように配置されている。
【００３８】
カバー接続部５８及びフィルタ上部支持部５９は、トレイカバー体５４における、排紙方向Ｄ１の下流側の端部に配置されている。カバー接続部５８は、フィルタ上部支持部５９よりも上方側に配置されている。本体接続部５１０は、トレイカバー体５４における、排紙方向Ｄ１の上流側の端部に配置されている。
【００３９】
サイドカバー体６は、側開口部４３を閉じる際に、トレイカバー体５４がトレイ開口部５２を閉じる状態で保持すべく、トレイカバー体５４を押さえる保持部６１を備えている。サイドカバー体６は、排気装置３７により空気を排出すべく、フィルタ３１１の側方に貫通孔６２を備えている。
【００４０】
サイドカバー体６は、フィルタ３１１の下部を押さえるフィルタ下部支持部６３と、フィルタ３１１の側部を支持する一対のフィルタ側部支持部（図示していない）６４，６５とを備えている。サイドカバー体６は、締結部材（本実施形態において、ボルト）６６，６６により、ハウジング４に固定されている。
【００４１】
図１及び図２に戻り、原稿読取部７は、原稿を載置する原稿載置台７１と、原稿載置台７１の上面である原稿読取面を開閉するプラテンカバー７２と、プラテンカバー７２に配置され、原稿載置台７１に原稿を搬送する原稿搬送部７３とを備えている。原稿読取部７は、排紙空間Ｓ１の上方を区画する一方、排紙トレイ５は、排紙空間Ｓ１の下方を区画する。本実施形態において、排紙空間Ｓ１は、上方及び下方を覆われ且つ側方の一部を開放する、所謂、胴内排紙空間Ｓ１である。
【００４２】
記録紙規制体８は、長尺に形成されている。記録紙規制体８の基端部（上端部）は、原稿読取部７の下部に回転可能に接続されている。記録紙規制体８は、排紙トレイ５に載置された記録紙に自重をかけることで、記録紙が移動することを規制している。なお、記録紙規制体８は、所定角度以上回転することを規制する回転規制部を備えてもよい。斯かる構成によれば、トレイ開口部５２が開放している際に、記録紙規制体８の先端部（下端部）が不必要にトレイ開口部５２の中に入り込むことを規制できる。
【００４３】
本実施形態に係る排紙装置１の構成は、以上の通りであり、次に、本実施形態に係る排紙装置１に係るファン３８に対して行う作業について、以下に説明する。具体的には、ファン３８を交換する作業について、以下に説明する。
【００４４】
締結部材６６が外されることで、サイドカバー体６がハウジング４から取り外される。このとき、サイドカバー体６は、下端部を支点として回動しつつ、ハウジング４から取り外される。サイドカバー体６がハウジング４から取り外されると、ハウジング４の側開口部４３が開放される。
【００４５】
カバー接続部５８を押していた保持部６１が、カバー接続部５８から離れるため、トレイカバー体５４がトレイ本体５３から取り外される。このとき、トレイカバー体５４は、本体接続部５１０を支点として回転しつつ、トレイ本体５３から取り外される。
【００４６】
開放されたトレイ開口部５２と側開口部４３とが連通しているため、ファン３８の上方及び側方が露出される。これにより、ファン３８の上方及び側方から作業することができるため、ファン３８を容易に交換することができる。その後、反対の手順で、トレイカバー体５４がトレイ本体５３に取り付けられ、そして、サイドカバー体６がハウジング４に取り付けられることで、作業が完了する。
【００４７】
以上より、本実施形態に係る排紙装置１によれば、排紙空間Ｓ１は、記録紙を載置する載置面５１を有する排紙トレイ５と、排紙トレイ５の上方に離間して配置される原稿読取部７との間で形成されている。ファン３８を上方から覆う排紙トレイ５は、ファン３８の上方に配置されるトレイ開口部５２を有するトレイ本体５３と、トレイ開口部５２を開閉するトレイカバー体５４とを備えている。これにより、トレイ開口部５２が開放されると、開放されたトレイ開口部５２からファン３８に対して作業することができる。したがって、ファン３８に対する作業を簡素化することができる。
【００４８】
本実施形態に係る排紙装置１によれば、ダクト３１０は、トレイ本体５３が移動することを規制する。これにより、トレイ本体５３が排紙空間Ｓ１から抜け出すことを防止できる。
【００４９】
本実施形態に係る排紙装置１によれば、トレイ開口部５２がトレイ本体５３の側端部に配置されている。これにより、ファン３８に対する作業をさらに簡素化することができる。
【００５０】
本実施形態に係る排紙装置１によれば、トレイ本体５３を固定するハウジング４は、内部に収容するファン３８の側方に配置される側開口部４３を備えている。サイドカバー体６は、ハウジング４の側方に取り付けられることで、側開口部４３を開閉する。そして、トレイ開口部５２及び側開口部４３が連通するように配置されているため、各開口部４３，５２が開放されると、ファン３８に対する作業をさらに簡素化することができる。また、サイドカバー体６が側開口部４３を閉じる際に、保持部６１がトレイカバー体５４を押さえるため、トレイカバー体５４は、トレイ開口部５２を閉じる状態で保持される。
【００５１】
なお、本実施形態に係る排紙装置１において、ユーザーが通常操作（交換、修理等）しないファン３８を覆うように、トレイカバー体５４が配置されている。したがって、サイドカバー体６が側開口部４３を閉じている際には、トレイカバー体５４がトレイ開口部５２を閉じる状態で保持されるため、トレイカバー体５４が不用意に開放されることを防止できる。
【００５２】
本実施形態に係る排紙装置１によれば、トレイカバー体５４は、トレイ開口部５２を覆うカバー部５６と、カバー部５６から突出する突出部５７とを備えている。突出部５７は、カバー部５６がトレイ開口部５２を覆う際に、ファン３８の上部を押さえる。これにより、ファン３８を安定して支持することができる。
【００５３】
なお、本発明に係る排紙装置は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００５４】
上記実施形態に係る排紙装置１は、トレイカバー体５４がトレイ本体５３に着脱自在である、という構成である。しかしながら、本発明に係る排紙装置１は、斯かる構成に限られない。例えば、本発明に係る排紙装置１は、トレイカバー体５４がトレイ本体５３に回転自在に取り付けられる、という構成でもよく、また、トレイカバー体５４がトレイ本体５３にスライド自在に取り付けられる、という構成でもよい。
【００５５】
上記実施形態に係る排紙装置１は、排紙トレイ５の上方に離間して配置される構成体７が、原稿読取部７であり、排紙空間Ｓ１が、原稿読取部７と排紙トレイ５との間で形成される、という構成である。しかしながら、本発明に係る排紙装置１は、斯かる構成に限られない。例えば、本発明に係る排紙装置１は、排紙トレイ５の上方に離間して板状部材が配置され、排紙空間Ｓ１が該板状部材と排紙トレイ５との間で形成される、という構成でもよい。
【００５６】
上記実施形態に係る排紙装置１は、トレイ本体５３がハウジング４に着脱自在である、という構成である。しかしながら、本発明に係る排紙装置１は、斯かる構成に限られない。例えば、本発明に係る排紙装置１は、トレイ本体５３がハウジング４と一体的に形成される、という構成でもよい。
【００５７】
上記実施形態に係る排紙装置１は、カバー部５６がトレイ開口部５２を覆う際に、突出部５７がファン３８の上部に当たる、という構成である。しかしながら、本発明に係る排紙装置１は、斯かる構成に限られない。例えば、本発明に係る排紙装置１は、カバー部５６がトレイ開口部５２を覆う際に、突出部５７がファン３８の上部と隙間を有して配置される、という構成でもよい。斯かる構成によれば、ファン３８が上方に移動する際に、突出部５７がファン３８の上部を押さえる。
【００５８】
上記実施形態に係る排紙装置１は、トレイ開口部５２がトレイ本体５３の側端部に配置される、という構成である。しかしながら、本発明に係る排紙装置１は、斯かる構成に限られない。例えば、本発明に係る排紙装置１は、トレイ開口部５２がトレイ本体５３の中央部に配置される、という構成でもよい。
【００５９】
上記実施形態に係る排紙装置１は、排紙トレイ５に上方から覆われる部品がファン３８である、という構成である。しかしながら、本発明に係る排紙装置１は、斯かる構成に限られない。例えば、本発明に係る排紙装置１は、排紙トレイ５に上方から覆われる部品がフィルタ３１１である、という構成でもよく、当該部品がハウジング４の内部に配置される他の部品である、という構成でもよく、また、図５に示すように、当該部品がファン３８及びフィルタ３１１である、という構成でもよい。
【００６０】
図５に示す構成において、フィルタ支持部３１２は、フィルタ３１１を支持する。トレイカバー体５４のカバー部５６から突出する突出部５７，５７は、ファン３８の上部及びフィルタ３１１の上部をそれぞれ押さえている。
【００６１】
上記実施形態において、部品に対する作業がファン３８を交換する作業である。しかしながら、本発明において、部品に対する作業がファン３８及びフィルタ３１１等の部品を修理又は清掃する作業でもよい。
【符号の説明】
【００６２】
１…排紙装置、４…ハウジング、５…排紙トレイ、６…サイドカバー体、７…原稿読取部（構成体）、３８…ファン（部品）、４３…側開口部、５１…載置面、５２…トレイ開口部、５３…トレイ本体、５４…トレイカバー体、５６…カバー部、５７…突出部、６１…保持部、３１０…ダクト（規制部）、３１１…フィルタ、Ｓ１…排紙空間
【図１】
2014071293.tif 000003
【図２】
2014071293.tif 000004
【図３】
2014071293.tif 000005
【図４】
2014071293.tif 000006
【図５】
2014071293.tif 000007